(57)【要約】      （修正有）【課題】施工が容易で防水性能に優れた地中埋込照明器具を提供する。【解決手段】地中に埋め込まれる地中埋込照明器具１において、ランプ２１、及び反射板２２を収容し、上面に形成された灯光開口２０ａから光を放射する器具本体２０と、安定器３１を収容する安定器ボックス３０と、地中に埋設された電力線１２を結線するための結線ボックス４０とのそれぞれを、上下に連接して三層構造の構成とし、器具本体２０、安定器ボックス３０、及び結線ボックス４０のそれぞれの連接部分にシール部材を設けて防水構造とする。【選択図】図１
0003145206.tif 000002
【実用新案登録請求の範囲】
【請求項１】
地中に埋め込まれる地中埋込照明器具において、
ランプ、及び反射板を収容し、上面に形成された灯光開口から光を放射する器具本体と、安定器を収容する安定器ボックスと、地中に埋設された電力線を結線するための結線ボックスとのそれぞれを、上下に連接して三層構造の構成とし、
前記器具本体、前記安定器ボックス、及び前記結線ボックスのそれぞれの連接部分にシール部材を設けて防水構造としたことを特徴とする地中埋込照明器具。
【請求項２】
請求項１に記載の地中埋込照明器具において、
前記器具本体に、前記ランプと前記灯光開口に設けられる前面ガラスとの間を仕切る仕切ガラスを設けたことを特徴とする地中埋込照明器具。
【請求項３】
請求項２に記載の地中埋込照明器具において、
前記仕切ガラスの上面の縁側に把手を設けたことを特徴とする地中埋込照明器具。
【請求項４】
請求項１から３のいずれか１つに記載の地中埋込照明器具において、
前記ランプの長軸を水平に向けて配置したことを特徴とする地中埋込照明器具。
【請求項５】
請求項１から４のいずれか１つに記載の地中埋込照明器具において、
前記器具本体と前記安定器ボックスとの間に、熱の移動を抑制する隙間を設けて連結したことを特徴とする地中埋込照明器具。
【考案の詳細な説明】
【技術分野】
【０００１】
本考案は、地中に埋め込こまれて使用される地中埋込照明器具に関する。
【背景技術】
【０００２】
従来、地中に埋め込まれて使用される地中埋込照明器具は、ランプと、ランプの光を反射する反射板と、安定器と、を備えている（例えば、特許文献１参照）。この種のものの中には、図６に示すように、器具本体４の中に、ランプ５と、反射板６と、安定器７と、地中に埋設された電力線（不図示）を結線する電力線結線部８とが一体となっており、器具本体４の上面に設けられた前面ガラス９から光を放射する地中埋込照明器具３がある。
【特許文献１】特開２００３−０６８１０１号公報
【考案の開示】
【考案が解決しようとする課題】
【０００３】
しかしながら、上記従来の地中埋込照明器具３では、電力線の結線を行う際、反射板６及び安定器７を器具本体４より取り出さなければならず、施工する際の取り扱いが不便であった。また、器具本体４の中に全てが収納されていることで、電力線結線部８や前面ガラス９からの水の浸入により、安定器７等の電気部品に影響が出てしまう。
そこで、本考案は、上述した事情に鑑みてなされたものであり、施工が容易で防水性能に優れた地中埋込照明器具を提供することを目的とする。
【課題を解決するための手段】
【０００４】
上記目的を達成するために、本考案の地中埋込照明器具は、地中に埋め込まれる地中埋込照明器具において、ランプ、及び反射板を収容し、上面に形成された灯光開口から光を放射する器具本体と、安定器を収容する安定器ボックスと、地中に埋設された電力線を結線するための結線ボックスとのそれぞれを、上下に連接して三層構造の構成とし、前記器具本体、前記安定器ボックス、及び前記結線ボックスのそれぞれの連接部分にシール部材を設けて防水構造としたことを特徴とする。
【０００５】
また本考案は、上記の地中埋込照明器具において、前記器具本体に、前記ランプと前記灯光開口に設けられる前面ガラスとの間を仕切る仕切ガラスを設けたことを特徴とする。
【０００６】
また本考案は、上記の地中埋込照明器具において、前記仕切ガラスの上面の縁側に把手を設けたことを特徴とする。
【０００７】
また本考案は、上記の地中埋込照明器具において、前記ランプの長軸を水平に向けて配置したことを特徴とする。
【０００８】
また本考案は、上記の地中埋込照明器具において、前記器具本体と前記安定器ボックスとの間に、熱の移動を抑制する隙間を設けて連結したことを特徴とする。
【考案の効果】
【０００９】
本考案によれば、器具本体と、安定器ボックスと、結線ボックスとのそれぞれを、上下に連接して三層構造としたことにより、反射板及び安定器を取り外す必要がなくなり、地中埋込照明器具の施工が容易となる。
【考案を実施するための最良の形態】
【００１０】
以下、図面を参照して本考案の実施の形態について説明する。
図１は、地中埋込照明器具の断面図である。図２は、地中埋込照明器具の分解斜視図である。図３は、地中埋込照明器具の平面図である。
地中埋込照明器具１は、地中に埋め込まれた状態で使用されるものであり、縦方向に長尺に形成された埋込ボックス１０と器具１１とを有している。埋込ボックス１０は、地面２と同一面まで埋め込まれる。この埋込ボックス１０の下部には、地中に埋設されたケーブル（電力線）１２を保護するケーブル保護管１３が接続されている。また、埋込ボックス１０の下部中央には、排水処理管１４が設けられており、仮に埋込ボックス１０内に水が浸入したとしても、その水を外部に排出することができるようになっている。
器具１１は、器具本体２０と、安定器ボックス３０と、結線ボックス４０とを備えている。これらの器具本体２０、安定器ボックス３０、及び結線ボックス４０は、上から順に縦方向に連接され、三層構造となっている。
【００１１】
器具本体２０は、上面に灯光開口２０ａを有する有底状に形成され、埋込ボックス１０に取り付けられている。器具本体２０は、ランプ２１、及び、ランプ２１の光を上方に反射する反射板２２を備えている。器具本体２０の内壁には、金具２３ａが全周に渡って形成され、この金具２３ａ上に回転リング２３ｂが回転可能に取り付けられている。回転リング２３ｂには、反射板取り付け金具２３ｃが連結され、この反射板取り付け金具２３ｃに、ランプ２１を取り付けるためのソケット２３ｄと、反射板２２とが固定されている。反射板２２は、椀状に形成され、開口を上に向けて配置されている。この反射板２２は、図３に示すように、２つの開口２２ａ、２２ｂが設けられている。
【００１２】
ランプ２１は、反射板２２の内部に長軸を水平に向けて配置され、開口２２ａを貫通してソケット２３ｄに取り付けられる。ランプ２１には、高効率で長寿命の、例えば、セラミックメタルハライドランプ等の高輝度放電ランプが用いられており、ランプ２１が放射する光には熱線が含まれている。本実施の形態の地中埋込照明器具１は、図１に示すように、ランプ２１の長軸を水平に向けて配置することにより、ランプ２１の長軸を垂直に向けて配置する場合に比べ、ランプ２１と前面ガラス２４との距離Ｌを大きくすることができるので、前面ガラス２４の温度上昇を抑えることができる。したがって、ランプ２１の長軸を水平に向けて配置したときの前面ガラス２４の温度を、ランプ２１の長軸を垂直に向けて配置したときの前面ガラス２４の温度と同等とする場合には、ランプ２１をより上方に水平配置することが可能になるので、器具本体２０の長さを短くすることができる。すなわち、水平に配置されたランプ２１は、三層構造としたことによって上下に長くなる器具１１の長さを、最小限に抑えることができる。
【００１３】
なお、ランプ２１は、常態での点灯方向が水平になるように配置されているが、回転リング２３ｂと反射板取り付け金具２３ｃとの連結部には、２つの蝶ボルト２３ｆが設けられているため、これらの蝶ボルト２３ｆを緩めることで、垂直方向に所定の角度、例えば、片側２０度回転することができる。すなわち、ランプ２１は、点灯方向を垂直角度で上下２０度変更することができるように構成されている。
【００１４】
灯光開口２０ａの周囲には、前面ガラス枠２０ｂが形成されている。この前面ガラス枠２０ｂには、強化処理された前面ガラス２４が灯光開口２０ａを覆うように配置される。
ところで、屋外において地中に埋め込まれて使用される地中埋込照明器具１にあっては、土や埃、その他の塵芥や、降雨や積雪等にさらされた環境下において使用されることから、防塵や防水処理が充分に施されていない場合には、内部に塵芥や水等が浸入して、内部に収容された機器に故障が生じる原因となる。そこで、前面ガラス２４の外周には、器具本体２０内への水の浸入を防止するために、シリコンゴム製の前面ガラスパッキン２４ａが設けられている。この前面ガラスパッキン２４ａは、前面ガラス２４が前面枠２５とともに複数（本実施の形態では、４本）の枠取り付け螺子２６によって前面ガラス枠２０ｂに固定されることで、前面ガラス枠２０ｂに密着するようになっている。
【００１５】
器具本体２０には、段状に形成された中ガラス枠２０ｃが設けられている。この中ガラス枠２０ｃに、強化処理された中ガラス（仕切ガラス）２７が配置される。中ガラス２７の外周には、中ガラスパッキン２７ａが設けられている。この中ガラスパッキン２７ａは、中ガラス２７の自重によって、中ガラス枠２０ｃに密着するようになっている。
このように、中ガラス２７を配置することによって、ランプ２１と灯光開口２０ａに設けられる前面ガラス２４との間が完全に仕切られることになる。すなわち、ランプ２１と前面ガラス２４との間に空気層Ａが形成される。この仕切られた空気層Ａによって、ランプ２１から放射される熱の伝達が抑制され、前面ガラス２４の温度上昇が抑えられる。したがって、中ガラス２７を配置したときの前面ガラス２４の温度を、中ガラス２７を配置しないときの前面ガラス２４の温度と同等とする場合には、ランプ２１をより上方に水平配置することが可能になるので、器具本体２０の長さを短くすることができる。すなわち、中ガラス２７は、三層構造としたことによって上下に長くなる器具１１の長さを、最小限に抑えることができる。
なお、中ガラス２７の上面の縁側には、把手２８が設けられており、中ガラス２７を取り外すのは容易である。
【００１６】
安定器ボックス３０は、下端に開口３０ａを有する有底状に形成され、器具本体２０の下部に連接されている。安定器ボックス３０には、インバータ（安定器）３１が収容されている。熱に弱い電子部品で構成されるインバータ３１は、ランプ２１から放出される熱によって大きな負荷を受けるおそれがある。また、インバータ３１自体の放出する熱が器具本体２０に伝達されるのも望ましくない。本実施の形態では、安定器ボックス３０の上面、すなわち、器具本体２０に対向する面は、その径が小さく形成されることによって、段状の段部３０ｂが形成されている。これにより、安定器ボックス３０と器具本体２０との間に所定の隙間δが設けられるので、安定器ボックス３０と器具本体２０との間の熱の移動が抑制される。
【００１７】
結線ボックス４０は、下端に開口４０ａを有する有底状に形成され、安定器ボックス３０の下部に連接されて配置されている。結線ボックス４０の下部には、取り外し可能な結線ボックスカバー４１が開口４０ａを覆うように取り付けられている。結線ボックス４０と結線ボックスカバー４１との間には、結線ボックス４０内への水の浸入を防止するために、シリコンゴム製のリングパッキン４０ｂが設けられている。
結線ボックスカバー４１には、防水グラウンド４２が設けられている。この防水グラウンド４２内にケーブル１２を挿通させることにより、結線ボックス４０内にケーブル１２が導入される。防水グラウンド４２とケーブル１２との間には、結線ボックス４０内への水の浸入を防止するために、図２に示すように、シリコンゴム製の電線パッキン４２ａが設けられている。
【００１８】
このように、インバータ３１及びケーブル１２の結線部を、安定器ボックス３０及び結線ボックス４０として器具本体２０から独立して形成することで、ケーブル１２の結線を行う際に、反射板２２及びインバータ３１を取り外す必要がなくなり、地中埋込照明器具１の施工が容易となる。また、器具１１は、器具本体２０、安定器ボックス３０、及び結線ボックス４０を三層構造とすることで、もし仮に問題が生じた場合に、器具１１を分解することなく層毎に検査することが可能になるので、問題箇所を容易に特定することができ、絶縁不良等の被害も最小限に留めることができる。
【００１９】
次に、地中埋込照明器具１の電気配線を説明する。図４は、地中埋込照明器具１の底面図である。
インバータ３１には、ソケット２３ｄ（図１参照）から延びるソケット線２１ａ、２１ｂが接続されている。インバータ３１からは、ランプ線３２ａ、３２ｂが延び、これらのランプ線３２ａ、３２ｂは、ソケット線２１ａ、２１ｂに接続されている。また、インバータ３１からは、入力線３３ａ、３３ｂ、及び、アース線３３ｃが結線ボックス４０へと延びている。
ケーブル１２とこれらの入力線３３ａ、３３ｂ、及び、アース線３３ｃとを結線する際には、結線ボックス４０から結線ボックスカバー４１が取り外され、ケーブル１２が防水グラウンド４２内に通される。そして、ケーブル１２が結線ボックス４０内に配管される入力線３３ａ、３３ｂ、及び、アース線３３ｃに接続されることによって、地中埋込照明器具１に電源が供給される。
【００２０】
次に、器具本体２０、安定器ボックス３０、及び結線ボックス４０のそれぞれの間に設けられる防水用のシール部材について詳細に説明する。図５は、器具本体２０の下部、安定器ボックス３０、及び結線ボックス４０の断面図である。
器具本体２０と安定器ボックス３０との間の連接部分５０には、シリコンゴム製のリングパッキン（シール部材）６０が設けられている。また、器具本体２０と安定器ボックス３０との間の連接部分５０であって、ソケット線２１ａ、２１ｂの周りには、シリコンゴム製のパッキン（シール部材）６１が設けられている。これらのリングパッキン６０及びパッキン６１は、取り付け螺子７０で器具本体２０と安定器ボックス３０とが固定されることによって、器具本体２０及び安定器ボックス３０に密着する。すなわち、リングパッキン６０及びパッキン６１は、雨水等の水が器具本体２０と安定器ボックス３０との間の連接部分５０から器具本体２０、あるいは、安定器ボックス３０内に浸入することを防止している。
【００２１】
安定器ボックス３０と結線ボックス４０との間の連接部分５１には、シリコンゴム製のリングパッキン（シール部材）６２が設けられている。リングパッキン６２は、図示しない螺子で安定器ボックス３０と結線ボックス４０が固定されることによって、安定器ボックス３０及び結線ボックス４０に密着する。すなわち、リングパッキン６２は、雨水等の水が安定器ボックス３０と結線ボックス４０との間の連接部分５１から安定器ボックス３０内に浸入することを防止している。
また、入力線３３ａ、３３ｂ、及び、アース線３３ｃの周りには、シリコンゴム製のパッキン（シール部材）６３が設けられている。このため、安定器ボックス３０と結線ボックス４０との間の連接部分５１における水の流通が防止される。
【００２２】
このように、器具本体２０、安定器ボックス３０、及び結線ボックス４０は、それぞれの間の連接部分５０、５１にリングパッキン６０、６２、パッキン６１、６３を備えているので、外部からの、あるいは、隣接する部材からの水の浸入を防止することができる。また、これらの器具本体２０、安定器ボックス３０、及び結線ボックス４０は、連接された一体構造となっているため、個別に防水処理を施す必要がなくなり、設けるシール部材を少なくすることができる。
【００２３】
以上説明したように、本実施の形態によれば、器具本体２０と、安定器ボックス３０と、結線ボックス４０とのそれぞれを、上下に連接して三層構造としたことにより、ケーブル１２の結線を行う際に、反射板２２及びインバータ３１を取り外す必要がなくなり、地中埋込照明器具１の施工が容易となる。これに加え、器具１１を分解することなく層毎に検査することが可能になるので、問題箇所を容易に特定することができ、絶縁不良等の被害も最小限に留めることができる。
また、これらの器具本体２０、安定器ボックス３０、及び結線ボックス４０の間の連接部分５０、５１に、リングパッキン６０、６２、パッキン６１、６３を設けたことで、仮に水の浸入があった場合でも、浸入した水を各層で食い止めることができる。
【００２４】
また本実施の形態によれば、中ガラス２７を、ランプ２１と灯光開口２０ａに設けられる前面ガラス２４との間を仕切るように設けたことで、ランプ２１と中ガラス２７との間に空気層Ａが形成される。この空気層Ａによって、ランプ２１から放射される熱の伝達が抑制されるので、ランプ２１をより上方に配置することが可能になり、器具本体２０の長さを短くすることができる。すなわち、三層構造としたことによって上下に長くなる器具１１の長さを、最小限に抑えることができる。
【００２５】
また本実施の形態によれば、中ガラス２７の上面の縁側に把手２８を設けたことにより、中ガラス２７の取り外しが容易になる。
【００２６】
また本実施の形態によれば、ランプ２１の長軸を水平に向けて配置したことにより、ランプ２１の長軸を垂直に向けて配置する場合に比べ、ランプ２１と前面ガラス２４との距離Ｌを大きくすることができるので、前面ガラス２４の温度上昇を抑えることができる。したがって、ランプ２１をより上方に配置することが可能になるので、器具本体２０の長さを短くすることができる。すなわち、三層構造としたことによって上下に長くなる器具１１の長さを、最小限に抑えることができる。
【００２７】
さらに本実施の形態によれば、器具本体２０と安定器ボックス３０との間に隙間δを設けたことにより、器具本体２０と安定器ボックス３０との間の熱の移動を抑制することができる。
【図面の簡単な説明】
【００２８】
【図１】本考案の実施の形態に係る地中埋込照明器具の断面図である。
【図２】地中埋込照明器具の分解斜視図である。
【図３】地中埋込照明器具の平面図である。
【図４】地中埋込照明器具の底面図である。
【図５】器具本体の下部、安定器ボックス、及び結線ボックスの断面図である。
【図６】従来の地中埋込照明器具を示す正面図である。
【符号の説明】
【００２９】
１  地中埋込照明器具
１１  器具
１２  ケーブル（電力線）
２０  器具本体
２０ａ  投光開口
２１  ランプ
２１ａ、２１ｂ  ソケット線
２２  反射板
２４  前面ガラス
２７  中ガラス（仕切ガラス）
２８  把手
３０  安定器ボックス
３１  インバータ（安定器）
３２ａ、３２ｂ  ランプ線
３３ａ、３３ｂ  入力線
３３ｃ  アース線
４０  結線ボックス
５０、５１  連接部分
６０〜６３  シール部材
【図１】
0003145206.tif 000003
【図２】
0003145206.tif 000004
【図３】
0003145206.tif 000005
【図４】
0003145206.tif 000006
【図５】
0003145206.tif 000007
【図６】
0003145206.tif 000008